(57)【要約】【課題】パレット上に展示されるタイヤの陳列状態が不安定にならないとともに、パレット上に無駄な空間ができないパレット拡張装置を提供する。【解決手段】パレット拡張装置１は、パレットＰの外側に配置されて、パレットＰを拡張するものである。パレット拡張装置１は、パレットＰの第１の側面Ｐ１に配置される第１の部品２と、第１の部品２に連結され、パレットＰの第１の側面Ｐ１に垂直な第２の側面Ｐ２に隣接配置される第２の部品３と、第１の部品２に連結され、パレットＰの第２の側面Ｐ２と平行な第３の側面Ｐ３に隣接配置される第３の部品４を備えている。【選択図】図１
2020198990.tif 000002
【特許請求の範囲】
【請求項１】
パレットの外側に配置されるパレット拡張装置であって、
前記パレットの第１の側面に配置される第１の部品と、
前記第１の部品に連結され、前記パレットの第１の側面に垂直な第２の側面に隣接配置される第２の部品と
を備えていることを特徴とするパレット拡張装置。
【請求項２】
前記第１の部品に連結され、前記パレットの第２の側面と平行な第３の側面に隣接配置される第３の部品を
更に備えていることを特徴とする請求項１に記載のパレット拡張装置。
【請求項３】
前記第１の部品及び前記第３の部品に連結され、前記パレットの第１の側面と平行な第４の側面に隣接配置される第４の部品を
更に備えていることを特徴とする請求項２に記載のパレット拡張装置。
【請求項４】
少なくとも前記第１の部品、前記第２の部品及び前記第３の部品が、それぞれ前記パレットに載るタイヤ展示台の底面部に形成された連結用凹部に挿入される連結用凸部を有する
ことを特徴とする請求項３に記載のパレット拡張装置。
【請求項５】
前記第２の部品の上面から前記第３の部品の上面に架け渡され、前記パレットの少なくともほぼ半分を覆うカバーを更に備え、
前記カバーが、前記連結用凸部を上方へ逃がす凸部逃がし孔を有する
ことを特徴とする請求項４に記載のパレット拡張装置。
【請求項６】
前記カバーが、少なくとも前記第２の部品と前記第３の部品とに固定され、
前記第１の部品、前記第２の部品、前記第３の部品及び前記第４の部品のうちの少なくとも１つの部品が、前記パレットのフォーク導入口にフォークを導入するフォーク導入孔を有する
ことを特徴とする請求項５に記載のパレット拡張装置。
【請求項７】
前記カバーを前記第２の部品と前記第３の部品とに固定する手段が雄ねじである
ことを特徴とする請求項６に記載のパレット拡張装置。
【請求項８】
少なくとも前記第１の部品、前記第２の部品及び前記第３の部品が、それぞれ前記第１の部品、前記第２の部品及び前記第３の部品の下方に配置される別の第１の部品、前記第２の部品及び前記第３の部品の連結用凸部を受容する拡張装置連結用凹部を有する
ことを特徴とする請求項６又は７に記載のパレット拡張装置。
【請求項９】
前記第１の部品、前記第２の部品、前記第３の部品及び前記第４の部品が、それぞれプラスチックダンボールをプレス加工して形成されている
ことを特徴とする請求項３〜８のいずれか１項に記載のパレット拡張装置。
【発明の詳細な説明】
【技術分野】
【０００１】
この発明は、パレットのサイズを拡張するためのパレット拡張装置に関する。
【背景技術】
【０００２】
カー用品店、サービスステーション、タイヤ専門店等では、４つの自動車用のタイヤを一組として、タイヤ展示台に垂直方向へ積み上げて陳列（いわゆる平積み陳列）することがある。
【０００３】
この方法で四組のタイヤを陳列するには、４つのタイヤ展示台が使われる。
【０００４】
これに対し、市販の一般的なパレット（例えば１１００mm×１１００mm×高さ１５０mmのパレット）をタイヤ展示台として利用すると、四組のタイヤを１つのパレットに陳列することができ、４つのタイヤ展示台を使うよりもコストを減らせる。
【発明の概要】
【発明が解決しようとする課題】
【０００５】
しかし、パレットを利用する方法には、陳列するタイヤのサイズが大きいとき（例えば売れ筋の６２０mmタイヤ径のタイヤを陳列するとき）、四組のタイヤのうちの三組のタイヤの一部がパレットからはみ出し、タイヤの陳列状態が不安定になるおそれがある。
【０００６】
タイヤの陳列状態が不安定にならないようにするには、例えば４つのパレットを使えばよいが、コストが増えるだけでなく、パレット上に無駄な空間ができ、タイヤ展示の美観も損なわれるおそれがある。
【０００７】
この発明はこのような事情に鑑みてなされたもので、その課題は、パレット上に展示されるタイヤの陳列状態が不安定にならないとともに、パレット上に無駄な空間ができないパレット拡張装置を提供することである。
【課題を解決するための手段】
【０００８】
上述の課題を解決するため請求項１に記載の発明は、パレットの外側に配置されるパレット拡張装置であって、前記パレットの第１の側面に配置される第１の部品と、前記第１の部品に連結され、前記パレットの第１の側面に垂直な第２の側面に隣接配置される第２の部品とを備えていることを特徴とする。
【０００９】
請求項２に記載の発明は、請求項１に記載のパレット拡張装置において、前記第１の部品に連結され、前記パレットの第２の側面と平行な第３の側面に隣接配置される第３の部品を更に備えていることを特徴とする。
【００１０】
請求項３に記載の発明は、請求項２に記載のパレット拡張装置において、前記第１の部品及び前記第３の部品に連結され、前記パレットの第１の側面と平行な第４の側面に隣接配置される第４の部品を更に備えていることを特徴とする。
【００１１】
請求項４に記載の発明は、請求項３に記載のパレット拡張装置において、少なくとも前記第１の部品、前記第２の部品及び前記第３の部品が、それぞれ前記パレットに載るタイヤ展示台の底面部に形成された連結用凹部に挿入される連結用凸部を有することを特徴とする。
【００１２】
請求項５に記載の発明は、請求項４に記載のパレット拡張装置において、前記第２の部品の上面から前記第３の部品の上面に架け渡され、前記パレットの少なくともほぼ半分を覆うカバーを更に備え、前記カバーが、前記連結用凸部を上方へ逃がす凸部逃がし孔を有することを特徴とする。
【００１３】
請求項６に記載の発明は、請求項５に記載のパレット拡張装置において、前記カバーが、少なくとも前記第２の部品と前記第３の部品とに固定され、前記第１の部品、前記第２の部品、前記第３の部品及び前記第４の部品のうちの少なくとも１つの部品が、前記パレットのフォーク導入口にフォークを導入するフォーク導入孔を有することを特徴とする。
【００１４】
請求項７に記載の発明は、請求項６に記載のパレット拡張装置において、前記カバーを前記第２の部品と前記第３の部品とに固定する手段が雄ねじであることを特徴とする。
【００１５】
請求項８に記載の発明は、請求項６又は７に記載のパレット拡張装置において、少なくとも前記第１の部品、前記第２の部品及び前記第３の部品が、それぞれ前記第１の部品、前記第２の部品及び前記第３の部品の下方に配置される別の第１の部品、前記第２の部品及び前記第３の部品の連結用凸部を受容する拡張装置連結用凹部を有することを特徴とする。
【００１６】
請求項９に記載の発明は、請求項３〜８のいずれか１項に記載のパレット拡張装置において、前記第１の部品、前記第２の部品、前記第３の部品及び前記第４の部品が、それぞれプラスチックダンボールをプレス加工して形成されていることを特徴とする。
【発明の効果】
【００１７】
この発明は、パレット上に展示されるタイヤの陳列状態が不安定にならないとともに、パレット上に無駄な空間ができないパレット拡張装置を提供することができる。
【図面の簡単な説明】
【００１８】
【図１】図１はこの発明の一実施形態に係るパレット拡張装置を説明するための図であり、 図１（Ａ）はパレット拡張装置の斜視図、 図１（Ｂ）は図１（Ａ）のパレット拡張装置が装着されるパレットの斜視図である。
【図２】図２は図１（Ａ）のパレット拡張装置の第１の部品を説明するための図であり、図２（Ａ）は第１の部品の部分底面図、図２（Ｂ）は第１の部品の側面図である。
【図３】図３は図１Ａのパレット拡張装置の第１の部品を説明するための図であり、図３（Ａ）は第１の部品の本体部の展開図、図３（Ｂ）は第１の部品の本体部の組立状態を維持するための連結プレートの平面図、図３（Ｃ）は第１の部品の本体部の組立状態を維持するための他の連結プレートの平面図である。
【図４】図４は図１Ａのパレット拡張装置の第２の部品を説明するための図であり、図４（Ａ）は第２の部品の本体部の展開図、図４（Ｂ）は第２の部品の本体部の組立状態を維持するための連結プレートの平面図である。
【図５】図５は図１Ａのパレット拡張装置の第３の部品を説明するための図であり、図５（Ａ）は第３の部品の本体部の展開図、図５（Ｂ）は第３の部品の本体部の組立状態を維持するための連結プレートの平面図である。
【図６】図６は図１Ａのパレット拡張装置の第４の部品の展開図である。
【図７】図７は図１（Ａ）のパレット拡張装置の第３の部品を説明するための図であり、図７（Ａ）は第３の部品の部分底面図、図７（Ｂ）は第３の部品の側面図である。
【図８】図８は図１（Ａ）のパレット拡張装置の第４の部品と第２の部品とを説明するための図であり、図８（Ａ）は第４の部品と第２の部品との連結部の底面図、図８（Ｂ）は第２の部品の側面図である。
【図９】図９はパレット拡張装置の第１の実施態様を示す斜視図である。
【図１０】図１０はパレット拡張装置の第２の実施態様を示す斜視図である。
【図１１】図１１はパレット拡張装置の第３の実施態様を示す斜視図である。
【図１２】図１２はパレット拡張装置の第４の実施態様を示す斜視図である。
【図１３】図１３は図１（Ａ）のパレット拡張装置を２段に重ねた状態を示す斜視図である。
【発明を実施するための形態】
【００１９】
以下、この発明の実施の形態を図面に基づいて説明する。
【００２０】
この発明の一実施形態に係るパレット拡張装置１は、タイヤＴ（図９参照）の展示販売に使用する矩形のパレットＰ（図１Ｂ参照）のサイズを大きくするために使用されるものであり、第１の部品２、第２の部品３、第３の部品４及び第４の部品５を備えている（図１Ａ参照）。パレット拡張装置１はパレットＰを包囲する矩形の枠である。パレットＰの第１の側面Ｐ１、第２の側面Ｐ２、第３の側面Ｐ３及び第４の側面Ｐ４には、それぞれ２つのフォーク導入口Ｐｈが形成されている。ただし、第２の側面Ｐ２のフォーク導入口Ｐｈ及び第４の側面Ｐ４のフォーク導入口Ｐｈは図１Ｂ中に図示されていない。
【００２１】
タイヤＴの展示販売に使用するパレットＰとしては、例えば１１００mm×１１００mm×高さ１５０mmの市販の一般的なパレットがある。
【００２２】
第１の部品２は、パレットＰの第１の側面Ｐ１に隣接配置される。第２の部品３は、パレットＰの第１の側面Ｐ１に垂直な第２の側面Ｐ２に隣接配置される。第３の部品４は、パレットＰの第２の側面Ｐ２と平行な第３の側面Ｐ３に隣接配置される。第４の部品５は、パレットＰの第１の側面Ｐ１と平行な第４の側面Ｐ４に隣接配置される。
【００２３】
第１の部品２の一端部は第２の部品３の一端部に連結され、第１の部品２の他端部は第３の部品４の一端部に連結されている。第４の部品５は第１の部品２に対して平行であり、第４の部品５の一端部は第２の部品３の他端部に連結され、第４の部品５の他端部は第３の部品４の他端部に連結されている。
【００２４】
この実施形態では、第１の部品２、第２の部品３及び第３の部品４が、パレットＰに載るタイヤ展示台６（図１０〜図１２参照）の底面部に形成された連結用凹部６１に挿入される連結用凸部２２１ｂ，３１２ｄ，４１２ｄを有する。
【００２５】
更に、この実施形態では、第１の部品２、第２の部品３及び第３の部品４が、それらの部品２，３，４の下方に配置される別のパレット拡張装置１（図１３参照）の第１の部品２、第２の部品３及び第３の部品４の連結用凸部２２１ｂ，３１２ｄ，４１２ｄを受容する拡張装置連結用凹部２２１ｆ，３１２ｅ，４１２ｅを有する。
【００２６】
この実施形態では、第１の部品２、第２の部品３、第３の部品４及び第４の部品５が、それぞれプラスチックダンボールをプレス加工して形成されている。
【００２７】
第１の部品２は、本体部２１、連結プレート２２及び連結プレート２３を有する（図３（Ａ）〜図３（Ｃ）参照）。
【００２８】
本体部２１は、天板部２１１、脚部２１２及び脚部２１３を有する。
【００２９】
天板部２１１は２つの長孔２１１ａ及び２つの長孔２１１ｂを有する。２つの長孔２１１ａは天板部２１１の中央部に形成されている。２つの長孔２１１ｂの一方の長孔２１１ｂは天板部２１１の一端部に形成され、他方の長孔２１１ｂは天板部２１１の他端部に形成されている。２つの長孔２１１ａには、連結用凸部２２１ｂが挿入される。一方の長孔２１１ｂには第２の部品３の連結用凸部３１２ｄが挿入され、他方の長孔２１１ｂには第３の部品４の連結用凸部４１２ｄが挿入される。
【００３０】
脚部２１２は、２つの長孔２１２ａと２つの長孔２１２ｂと２つの長孔２１２ｃとを有する。２つの長孔２１２ａは脚部２１２の中央部に形成され、２つの長孔２１２ｂは脚部２１２の両端部に形成されている。２つの長孔２１２ｃのうちの一方の長孔２１２ｃは脚部２１２の中央部の長孔２１２ａと脚部２１２の一端部の長孔２１２ｂとの間に形成され、他方の長孔２１２ｃは脚部２１２の中央部の長孔２１２ａと脚部２１２の他端部の長孔２１２ｂとの間に形成されている。
【００３１】
脚部２１２は、第１領域部２１２１、第２領域部２１２２及び第３領域部２１２３を有する。第１領域部２１２１は折曲線Ｎ１を介して天板部２１１に連なり、第２領域部２１２２は折曲線Ｎ２を介して第１領域部２１２１に連なり、第３領域部２１２３は折曲線Ｎ３を介して第２領域部２１２２に連なる。６つの長孔２１２ａ，２１２ｂ，２１２ｃは、第２領域部２１２２から第３領域部２１２３にかけて形成されている。
【００３２】
脚部２１３は、２つの長孔２１３ａと２つの長孔２１３ｂと２つの長孔２１３ｃとを有する。２つの長孔２１３ｂは脚部２１３の中央部に形成されている。２つの長孔２１３ｂは脚部２１３の両端部に形成されている。２つの長孔２１３ｃのうちの一方の長孔２１３ｃは脚部２１３の中央部の長孔２１３ａと脚部２１３の一端部の長孔２１３ｂとの間に形成され、他方の長孔２１３ｃは脚部２１３の中央部の長孔２１３ａと脚部２１３の他端部の長孔２１３ｂとの間に形成されている。
【００３３】
脚部２１３は、第１領域部２１３１、第２領域部２１３２及び第３領域部２１３３を有する。第１領域部２１３１は折曲線Ｎ４を介して天板部２１１に連なり、第２領域部２１３２は折曲線Ｎ５を介して第１領域部２１３１に連なり、第３領域部２１３３は折曲線Ｎ６を介して第２領域部２１３２に連なる。４つの長孔２１３ａ，２１３ｃは、第２領域部２１３２から第３領域部２１３３にかけて形成されている。２つの長孔２１３ｂは、第１領域部２１３１から第３領域部２１３３にかけて形成されている。
【００３４】
連結プレート２２は、挿入部２２１ａ，２２１ｃ、連結用凸部２２１ｂ、スリット部２２１ｄ，２２１ｅ及び拡張装置連結用凹部２２１ｆを有する。１つの本体部２１に対して２つの連結プレート２２が用いられる。連結プレート２２は、本体部２１が折り曲げられた後、脚部２１２，２１３間の空間、天板部２１１の長孔２１１ａ、脚部２１２の中央部の長孔２１２ａ及び脚部２１３の中央部の長孔２１３ａに挿入される。拡張装置連結用凹部２２１ｆは、第１の部品２の下方に配置される別のパレット拡張装置１（図１３参照）の第１の部品２の連結用凸部２２１ｂを受容する。
【００３５】
連結プレート２３は、挿入部２３１ａ，２３１ｂ，２３１ｃ及びスリット部２３１ｄ，２３１ｅを有する。１つの本体部２１に対して４つの連結プレート２３が用いられる。連結プレート２３は、本体部２１が折り曲げられた後、脚部２１２，２１３間の空間、脚部２１２の中央部以外の４つの長孔２１２ｂ，２１２ｃ、脚部２１３の中央部以外の４つの長孔２１３ｂ，２１３ｃに挿入される。
【００３６】
連結プレート２２，２３は脚部２１２と脚部２１３との間に架け渡され、脚部２１２と脚部２１３とが連結される（図２（Ａ）参照）。連結プレート２２の連結用凸部２２１ｂは天板部２１１の長孔２１１ａを通じて上方へ突き出す（図２（Ｂ）参照）。
【００３７】
第２の部品３は、本体部３１及び連結プレート３２を有する（図４（Ａ）、図４（Ｂ）参照）。
【００３８】
本体部３１は、天板部３１１、脚部３１２及び脚部３１３を有する。
【００３９】
天板部３１１は２つの長孔３１１ａ及び１つの長孔３１１ｂを有する。２つの長孔３１１ａは天板部３１１の中央部に形成されている。１つの長孔３１１ｂは天板部３１１の一端部に形成されている。長孔３１１ａ及び長孔３１１ｂには、本体部３１を組み立てたとき、後述の連結用凸部３１２ｄが挿入される。
【００４０】
脚部３１２は、２つの長孔３１２ａ、１つのスリット部３１２ｂ、１つのスリット部３１２ｃ、４つの連結用凸部３１２ｄ及び４つの拡張装置連結用凹部３１２ｅを有する。長孔３１２ａは脚部３１２の中央部に形成されている。スリット部３１２ｂは脚部３１２の一端部に形成され、スリット部３１２ｃは脚部３１２の他端部に形成されている。４つの連結用凸部３１２ｄのうちの２つの凸部３１２ｄは脚部３１２の中央部に形成され、残りの２つの連結用凸部３１２ｄのうちの一方の連結用凸部３１２ｄは脚部３１２の一端部に形成され、他方の連結用凸部３１２ｄは脚部３１２の他端部に形成されている。４つの拡張装置連結用凹部３１２ｅのうちの２つの拡張装置連結用凹部３１２ｅは脚部３１２の中央部に形成され、残りの２つの拡張装置連結用凹部３１２ｅのうちの一方の拡張装置連結用凹部３１２ｅは脚部３１２の一端部に形成され、他方の拡張装置連結用凹部３１２ｅは脚部３１２の他端部に形成されている。
【００４１】
脚部３１２は、第１領域部３１２１、第２領域部３１２２及び第３領域部３１２３を有する。第１領域部３１２１は折曲線Ｎ７を介して天板部３１１に連なり、第２領域部３１２２は折曲線Ｎ８を介して第１領域部３１２１に連なり、第３領域部３１２３は折曲線Ｎ９を介して第２領域部３１２２に連なる。２つの長孔３１２ａは、第１領域部３１２１から第３領域部３１２３にかけて形成されている。脚部３１２を折り曲げたとき、脚部３１２の３つの連結用凸部３１２ｄを天板部３１１の長孔３１１ａ，３１１ｂに通す。その結果、脚部３１２の３つの連結用凸部３１２ｄは天板部３１１の長孔３１１ａ，３１１ｂを通じて上方へ突き出す（図７（Ｂ）参照）。
【００４２】
脚部３１３は、２つの長孔３１３ａ、１つの長孔３１３ｂ及び１つの連結部３１３ｃを有する。２つの長孔３１３ａは脚部３１３の中央部に形成され、１つの長孔３１３ｂは脚部３１３の一端部に形成されている。１つの連結部３１３ｃは脚部３１３の他端部に形成されている。連結部３１３ｃは２つのスリット部３１３ｃ１，３１３ｃ２を有する。
【００４３】
脚部３１３は、第１領域部３１３１、第２領域部３１３２及び第３領域部３１３３を有する。第１領域部３１３１は折曲線Ｎ１０を介して天板部３１１に連なり、第２領域部３１３２は折曲線Ｎ１１を介して第１領域部３１３１に連なり、第３領域部３１３３は折曲線Ｎ１２を介して第２領域部３１３２に連なる。連結部３１３ｃは第１領域部３１３１に連なる。長孔３１３ａ及び長孔３１３ｂは第２領域部３１３２に形成されている。
【００４４】
連結プレート３２は、挿入部３２１ａ，３２１ｂ及びスリット部３２１ｃを有する。１つの本体部３１に対して３つの連結プレート３２が用いられる。本体部３１が折り曲げられた後、３つの連結プレート３２のうちの２つの連結プレート３２は脚部３１２の中央部の２つの長孔３１２ａ，３１２ａ、脚部３１３の中央部の２つの長孔３１３ａ，３１３ａに挿入され、３つの連結プレート３２のうちの１つの連結プレート３２は脚部３１２の一端部の１つのスリット部３１２ｂ、脚部３１３の一端部の１つの長孔３１３ｂに挿入される。
【００４５】
連結プレート３２が脚部３１２と脚部３１３との間に架け渡され、脚部３１２と脚部３１３とが連結される（図７（Ａ）参照）。
【００４６】
第３の部品４は、本体部４１及び連結プレート４２を有する（図５（Ａ）、図５（Ｂ）参照）。
【００４７】
本体部４１は、天板部４１１、脚部４１２及び脚部４１３を有する。
【００４８】
天板部４１１は２つの長孔４１１ａ及び１つの長孔４１１ｂを有する。２つの長孔４１１ａは天板部４１１の中央部に形成されている。１つの長孔４１１ｂは天板部４１１の一端部に形成されている。長孔４１１ａ及び長孔４１１ｂには、本体部４１を組み立てたとき、後述の連結用凸部４１２ｄが挿入される。
【００４９】
脚部４１２は、２つの長孔４１２ａ、１つのスリット部４１２ｂ、１つのスリット部４１２ｃ、４つの連結用凸部４１２ｄ及び４つの拡張装置連結用      凹部４１２ｅを有する。長孔４１２ａは脚部４１２の中央部に形成されている。スリット部４１２ｂは脚部４１２の一端部に形成され、スリット部４１２ｃは脚部４１２の他端部に形成されている。４つの連結用凸部４１２ｄのうちの２つの連結用凸部４１２ｄは脚部４１２の中央部に形成され、残りの２つの連結用凸部４１２ｄのうちの一方の凸部４１２ｄは脚部４１２の一端部に形成され、他方の凸部４１２ｄは脚部４１２の他端部に形成されている。４つの拡張装置連結用凹部４１２ｅのうちの２つの拡張装置連結用凹部４１２ｅは脚部４１２の中央部に形成され、残りの２つの拡張装置連結用凹部４１２ｅのうちの一方の拡張装置連結用凹部４１２ｅは脚部４１２の一端部に形成され、他方の拡張装置連結用凹部４１２ｅは脚部４１２の他端部に形成されている。
【００５０】
脚部４１２は、第１領域部４１２１、第２領域部４１２２及び第３領域部４１２３を有する。第１領域部４１２１は折曲線Ｎ１３を介して天板部４１１に連なり、第２領域部４１２２は折曲線Ｎ１４を介して第１領域部４１２１に連なり、第３領域部４１２３は折曲線Ｎ１５を介して第２領域部４１２２に連なる。２つの長孔４１２ａは、第１領域部４１２１から第３領域部４１２３にかけて形成されている。脚部４１２を折り曲げたとき、脚部４１２の３つの連結用凸部４１２ｄを天板部４１１の長孔４１１ａ，４１１ｂに通す。その結果、脚部４１２の３つの連結用凸部４１２ｄは第２の部品３と同様に天板部４１１の長孔４１１ａ，４１１ｂを通じて上方へ突き出す。
【００５１】
脚部４１３は、２つの長孔４１３ａ、１つの長孔４１３ｂ及び１つの連結部４１３ｃを有する。２つの長孔４１３ａは脚部４１３の中央部に形成され、１つの長孔４１３ｂは脚部４１３の一端部に形成されている。１つの連結部４１３ｃは脚部４１３の他端部に形成されている。連結部４１３ｃは２つのスリット部４１３ｃ１，４１３ｃ２を有する。
【００５２】
脚部４１３は、第１領域部４１３１、第２領域部４１３２及び第３領域部４１３３を有する。第１領域部４１３１は折曲線Ｎ１６を介して天板部４１１に連なり、第２領域部４１３２は折曲線Ｎ１７を介して第１領域部４１３１に連なり、第３領域部４１３３は折曲線Ｎ１８を介して第２領域部４１３２に連なる。連結部４１３ｃは第１領域部４１３１に連なる。長孔４１３ａ及び長孔４１３ｂは第２領域部４１３２に形成されている。
【００５３】
連結プレート４２は、挿入部４２１ａ，４２１ｂ及びスリット部４２１ｃを有する。１つの本体部４１に対して３つの連結プレート４２が用いられる。本体部４１が折り曲げられた後、３つの連結プレート４２のうちの２つの連結プレート４２は脚部４１２の中央部の２つの長孔４１２ａ，４１２ａ、脚部４１３の中央部の２つの長孔４１３ａ，４１３ａに挿入され、３つの連結プレート４２のうちの１つの連結プレート４２は脚部４１２の一端部の１つのスリット部４１２ｂ、脚部４１３の一端部の１つの長孔４１３ｂに挿入される。
【００５４】
連結プレート４２は第２の部品３と同様に脚部４１２と脚部４１３との間に架け渡され、脚部４１２と脚部４１３とが連結される。
【００５５】
第４の部品５は、平板部５１、連結部５２及び連結部５３を有する（図６参照）。
【００５６】
平板部５１は、パレットＰのフォーク受容空間にフォークを導入する２つのフォーク導入孔５ｈを有する。
【００５７】
連結部５２は、第１領域部５２１及び第２領域部５２２を有する。第１領域部５２１は折曲線Ｎ１９を介して平板部５１に連なり、第２領域部５２２は折曲線Ｎ２０を介して第１領域部５２１に連なる。第２領域部５２２にはスリット部５２ａが形成されている。
【００５８】
連結部５３は、第１領域部５３１及び第２領域部５３２を有する。第１領域部５３１は折曲線Ｎ２１を介して平板部５１に連なり、第２領域部５３２は折曲線Ｎ２２を介して第２領域部５３２に連なる。第２領域部５３２にはスリット部５３ａが形成されている。
【００５９】
この実施形態では、第１の部品２、第２の部品３、第３の部品４及び第４の部品５は、それぞれ図示しない表側のライナと裏側のライナと両方のライナの間に等間隔に配置される複数のリブとで構成されるプラスチックダンボールをプレス加工して形成されている。また、折曲線Ｎ１〜Ｎ２２は、一方のライナとリブとに直線的な切り込みを入れることにより形成されている。折曲線Ｎ１〜Ｎ２２はパレット拡張装置１の組立を容易にする。
【００６０】
第４の部品５と第２の部品３とを連結するには、第４の部品５の連結部５２を折り曲げ、連結部５２を第２の部品３の脚部３１２のスリット部３１２ｂと脚部３１３の長孔３１３ｂとに挿入する。その結果、第４の部品５の一端部と第２の部品３の一端部とが連結される（図８（Ａ）、図８（Ｂ）参照）。
【００６１】
第４の部品５と第３の部品４とを連結するには、第４の部品５の連結部５３を折り曲げ、連結部５３を第３の部品４の脚部４１２のスリット部４１２ｂと脚部４１３の長孔４１３ｂとに挿入する。その結果、第４の部品５の他端部と第３の部品４の一端部とが連結される。
【００６２】
第１の部品２と第２の部品３とを連結するには、第２の部品３の連結部３１３ｃを第１の部品２の脚部２１２の長孔２１２ｂと脚部２１３の長孔２１３ｂとに挿入するとともに、第２の部品３の脚部３１２の連結用凸部３１２ｄを第１の部品２の天板部２１１の長孔２１１ｂに挿入する。その結果、第１の部品２の一端部と第２の部品３の他端部とが連結される。
【００６３】
第１の部品２と第３の部品４とを連結するには、第３の部品４の連結部４１３ｃを第１の部品２の脚部２１２の長孔２１２ｂと脚部２１３の長孔２１３ｂとに挿入するとともに、第３の部品４の脚部４１２の連結用凸部４１２ｄを第１の部品２の天板部２１１の長孔２１１ｂに挿入する。その結果、第１の部品２の他端部と第３の部品４の他端部とが連結される。
【００６４】
このようにして第１の部品２から第４の部品５が一連に連なり、フレーム状のパレット拡張装置１が完成する。
【００６５】
次に、本願発明のパレット拡張装置１の様々な実施態様を説明する。
【００６６】
図９はパレット拡張装置の第１の実施態様を示す斜視図である。
【００６７】
パレット拡張装置１をパレットＰに装着すると、パレットＰはパレット拡張装置１に包囲されるので、パレットＰのサイズを拡張したと同等の結果が得られる。したがって、例えば４つのタイヤＴを一組とする、四組のタイヤＴを垂直方向へ積み上げて陳列する場合、タイヤＴのサイズが大きいときも（例えば売れ筋の６２０mmタイヤ径のタイヤのときも）、すべての組のタイヤＴがパレットＰとパレット拡張装置１からはみ出さないので、タイヤＴの陳列状態が安定する。
【００６８】
４つのパレットＰを使って四組のタイヤＴを陳列する方法に比べ、陳列コストを抑制することができるとともに、パレットＰ上に無駄な空間ができず、タイヤ展示上の美観も損なわれない。
【００６９】
第１の実施形態は、陳列コストの抑制とタイヤＴの陳列状態の安定とを確保できるとともに、パレットＰ上に無駄な空間ができないパレット拡張装置を提供することができる。
【００７０】
図１０はパレット拡張装置の第２の実施態様を示す斜視図である。
【００７１】
この実施態様では、パレット拡張装置１が装着されたパレットＰに２つのタイヤ展示台６が載っている。四組のタイヤＴのうちの二組のタイヤＴはパレットＰ上に直接展示され、他の二組のタイヤＴはタイヤ展示台６上に展示される。
【００７２】
このとき第１の部品２の１つの連結用凸部２２１ｂが一方のタイヤ展示台６の連結用凹部６１に挿入されているとともに、第２の部品３の２つの連結用凸部３１２ｄが一方のタイヤ展示台６の連結用凹部６１に挿入されている。また、第３の部品４の２つの連結用凸部４１２ｄが他方のタイヤ展示台６の連結用凹部６１に挿入されている。したがって、パレット拡張装置１が装着されたパレットＰに対する両方のタイヤ展示台６の位置ずれが抑制される。
【００７３】
この実施形態は、第１の実施形態と同様の効果を奏するとともに、パレットＰ上にタイヤ展示台６を載せてタイヤＴを展示したときのタイヤＴの陳列状態を安定させることができ、タイヤ展示のバリエーションを増やすことができる。
【００７４】
図１１はパレット拡張装置の第３の実施態様を示す斜視図である。
【００７５】
この実施態様では、パレット拡張装置１が装着されたパレットＰ上に２つのタイヤ展示台６がパレットＰの側面Ｐ４に平行に隣接配置されている。２つのタイヤ展示台６はパレットＰの奥側（パレットＰの側面Ｐ４側）に位置しているので、いわゆるひな壇が形成される。四組のタイヤＴのうちの二組のタイヤＴは下の段（パレットＰの表面）に展示され、他の二組のタイヤＴは上の段（タイヤ展示台６）に展示される。
【００７６】
このとき第２の部品３の２つの連結用凸部３１２ｄが一方のタイヤ展示台６の連結用凹部６１に挿入されているとともに、第３の部品４の２つの連結用凸部４１２ｄが他方のタイヤ展示台６の連結用凹部６１に挿入されている。したがって、パレット拡張装置１が装着されたパレットＰに対する両方のタイヤ展示台６の位置ずれが抑制される。
【００７７】
この実施形態は、第３の実施態様と同様の効果を奏する。
【００７８】
図１２はパレット拡張装置の第４の実施態様を示す斜視図である。
【００７９】
この実施態様のパレット拡張装置１は、パレットＰのほぼ半分を覆うカバー７を備えている。カバー７は、連結用凸部２２１ｂ，３１２ｄ，４１２ｄを上方へ逃がす凸部逃がし孔７ｈを有し、第２の部品３の上面から第３の部品４の上面に架け渡されている。カバー７は、雄ねじ８で、第１の部品２、第２の部品３及び第３の部品４に固定されている。パレット拡張装置１が装着されたパレットＰに、積層された２つのタイヤ展示台６が載っている。
【００８０】
四組のタイヤＴのうちの二組のタイヤＴはカバー７上に展示され、残りの二組のタイヤＴの一方のタイヤＴはタイヤ展示台６上に展示され、他方のタイヤＴはパレットＰ上に直接展示される。
【００８１】
このとき第３の部品４の２つの連結用凸部４１２ｄが下のタイヤ展示台６の連結用凹部６１に挿入され、下のタイヤ展示台６の連結用凸部６２が上のタイヤ展示台６の連結用凹部６１に挿入されている。したがって、パレット拡張装置１が装着されたパレットＰに対する両方のタイヤ展示台６の位置ずれが抑制される。
【００８２】
この実施形態は、第３の実施態様と同様の効果を奏するとともに、カバー７は、雄ねじ８で、第１の部品２、第２の部品３及び第３の部品４に固定されているので、第４の部品５のフォーク導入孔５ｈを通じてパレットＰのフォーク受容空間にフォークを挿入することにより、パレット拡張装置１が装着されたパレットＰを、タイヤＴを載せたまま運搬することができる。
【００８３】
図１３は図１Ａのパレット拡張装置を２段に重ねた状態を示す斜視図である。
【００８４】
この実施形態では、第１の部品２、第２の部品３及び第３の部品４が、それらの部品の下方に配置される、別のパレット拡張装置（図１３中の下のパレット拡張装置１）の第１の部品２、第２の部品３及び第３の部品４の連結用凸部２２１ｂ，３１２ｄ，４１２ｄを受容する拡張装置連結用凹部２２１ｆ，３１２ｅ，４１２ｅを有する。したがって、下のパレット拡張装置１に対する上のパレット拡張装置１の位置ずれを抑制できる。
【００８５】
この実施形態は、第１の実施形態と同様の効果を奏するとともに、タイヤ展示のバリエーションを増やすことができる。
【００８６】
なお、上述の実施形態では、パレット拡張装置１が第１の部品２、第２の部品３、第３の部品４及び第４の部品５を備えているが、１１００mm×１１００mm×高さ１５０mmのパレットのサイズを１２４０mm×１２４０mm×高さ１５０mmのパレットのサイズに拡張できれば四組のタイヤＴの安定性を確保できるのであるから、パレット拡張装置１の部品としては、少なくとも第１の部品２と、第２の部品３又は第３の部品４とを備えていれば、それを実現可能である。
【００８７】
また、上述の実施形態では、第４の部品５はパレットＰに載るタイヤ展示台６の底面部に形成された連結用凹部６１に挿入される連結用凸部を有さないが、連結用凸部を有する第４の部品（図示せず）を採用してもよい。
【００８８】
なお、上述の実施形態では、パレットＰのほぼ半分を覆うカバー７が採用されているが、パレットＰのほぼ全部を覆うカバー（図示せず）を採用してもよい。
【００８９】
また、上述の実施形態では、カバー７が第１の部品２、第２の部品３及び第３の部品４に雄ねじ８で固定されているが、カバー７を接着剤で第１の部品２、第２の部品３及び第３の部品４に固定してもよい。
【００９０】
なお、上述の実施形態では、第４の部品５だけが、パレットＰのフォーク受容空間にフォークを導入するフォーク導入孔５ｈを有するが、第１の部品２、第２の部品３、第３の部品４及び第４の部品５のうちの少なくとも１つの部品が、フォーク導入孔を有していればよい。したがって、第１の部品２、第２の部品３、第３の部品４及び第４の部品５のうちの２つ又は３つの部品がフォーク導入孔を有していてもよいし、第１の部品２、第２の部品３、第３の部品４及び第４の部品５のすべての部品がフォーク導入孔を有していてもよい。
【００９１】
また、この実施形態では、第１の部品２、第２の部品３、第３の部品４及び第４の部品５を、プラスチックダンボールをプレス加工することにより形成したが、第１の部品２、第２の部品３、第３の部品４及び第４の部品５の材質はプラスチックダンボールに限定されるものではなく、合成樹脂や紙製段ボール等でもよい。
【符号の説明】
【００９２】
１  パレット拡張装置
２  第１の部品
２１  本体部
２１１  天板部
２１１ａ  長孔
２１１ｂ  長孔
２１２  脚部
２１２ａ，２１２ｂ，２１２ｃ  長孔
２１２１  第１領域部
２１２２  第２領域部
２１２３  第３領域部
２１３  脚部
２１３ａ  長孔
２１３ｂ  長孔
２１３ｃ  長孔
２１３１  第１領域部
２１３２  第２領域部
２１３３  第３領域部
２２  連結プレート
２２１ａ，２２１ｃ  挿入部
２２１ｂ  連結用凸部
２２１ｄ，２２１ｅ  スリット部  
２２１ｆ  拡張装置連結用凹部  
２３  連結プレート
２３１ａ〜２３１ｃ  挿入部
２３１ｄ，２３１e  スリット部  
３  第２の部品
３１  本体部
３１１  天板部
３１１ａ  長孔
３１１ｂ  長孔
３１２  脚部
３１２ａ  長孔
３１２ｂ  スリット部  
３１２ｃ  スリット部  
３１２ｄ  連結用凸部  
３１２ｅ  拡張装置連結用凹部  
３１２１  第１領域部
３１２２  第２領域部
３１２３  第３領域部
３１３  脚部
３１３ａ  長孔
３１３ｂ  長孔
３１３ｃ  連結部
３１３ｃ１  スリット部  
３１３ｃ２  スリット部  
３１３１  第１領域部
３１３２  第２領域部
３１３３  第３領域部
３２  連結プレート
３２１ａ，３２１ｂ  挿入部
３２１ｃ  スリット部  
４  第３の部品
４１  本体部
４１１  天板部
４１１ａ  長孔
４１１ｂ  長孔
４１２  脚部
４１２ａ  長孔
４１２ｂ  スリット部  
４１２ｃ  スリット部  
４１２ｄ  連結用凸部  
４１２ｅ  拡張装置連結用凹部  
４１２１  第１領域部
４１２２  第２領域部
４１２３  第３領域部
４１３  脚部
４１３ａ  長孔
４１３ｂ  長孔
４１３ｃ  連結部
４１３ｃ１  スリット部  
４１３ｃ２  スリット部  
４１３１  第１領域部
４１３２  第２領域部
４１３３  第３領域部
４２  連結プレート
４２１ａ，４２１ｂ  挿入部
４２１ｃ  スリット部  
５  第４の部品
５ｈ  フォーク導入孔
５１  平板部
５２，５３  連結部  
５２ａ，５３ａ  スリット部
５２１，５３１  第１領域部
５２２，５３２  第２領域
６  タイヤ展示台
６１  連結用凹部
６２  連結用凸部
７  カバー
７ｈ  凸部逃がし孔
８  雄ねじ
Ｐ  パレット
Ｐ１  第１の側面
Ｐ２  第２の側面
Ｐ３  第３の側面
Ｐ４  第４の側面
Ｐｈ  フォーク導入口
Ｔ  タイヤ
Ｎ１〜Ｎ２２  折曲線
【図１】
2020198990.tif 000003
【図２】
2020198990.tif 000004
【図３】
2020198990.tif 000005
【図４】
2020198990.tif 000006
【図５】
2020198990.tif 000007
【図６】
2020198990.tif 000008
【図７】
2020198990.tif 000009
【図８】
2020198990.tif 000010
【図９】
2020198990.tif 000011
【図１０】
2020198990.tif 000012
【図１１】
2020198990.tif 000013
【図１２】
2020198990.tif 000014
【図１３】
2020198990.tif 000015
【手続補正書】
【提出日】令和1年12月27日(2019.12.27)
【手続補正１】
【補正対象書類名】明細書
【補正対象項目名】０００８
【補正方法】削除
【補正の内容】
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
上述の課題を解決するため請求項１に記載の発明は、パレットの外側に配置されるパレット拡張装置であって、前記パレットの第１の側面に配置される第１の部品と、前記第１の部品に連結され、前記パレットの第１の側面に垂直な第２の側面に隣接配置される第２の部品と、前記第１の部品に連結され、前記パレットの第２の側面と平行な第３の側面に隣接配置される第３の部品と、前記第１の部品及び前記第３の部品に連結され、前記パレットの第１の側面と平行な第４の側面に隣接配置される第４の部品とを備え、少なくとも前記第１の部品、前記第２の部品及び前記第３の部品が、それぞれ前記パレットに載るタイヤ展示台の底面部に形成された連結用凹部に挿入される連結用凸部を有し、前記第２の部品の上面から前記第３の部品の上面に架け渡され、前記パレットの少なくともほぼ半分を覆うカバーを更に備え、前記カバーが、前記連結用凸部を上方へ逃がす凸部逃がし孔を有し、前記カバーが、少なくとも前記第２の部品と前記第３の部品とに固定され、前記第１の部品、前記第２の部品、前記第３の部品及び前記第４の部品のうちの少なくとも１つの部品が、前記パレットのフォーク導入口にフォークを導入するフォーク導入孔を有することを特徴とする。
【手続補正７】
【補正対象書類名】明細書
【補正対象項目名】００１４
【補正方法】変更
【補正の内容】
【００１４】
請求項２に記載の発明は、請求項１に記載のパレット拡張装置において、前記カバーを前記第２の部品と前記第３の部品とに固定する手段が雄ねじであることを特徴とする。
【手続補正８】
【補正対象書類名】明細書
【補正対象項目名】００１５
【補正方法】変更
【補正の内容】
【００１５】
請求項３に記載の発明は、請求項１又は２に記載のパレット拡張装置において、少なくとも前記第１の部品、前記第２の部品及び前記第３の部品が、それぞれ前記第１の部品、前記第２の部品及び前記第３の部品の下方に配置される別の第１の部品、前記第２の部品及び前記第３の部品の連結用凸部を受容する拡張装置連結用凹部を有することを特徴とする。
【手続補正９】
【補正対象書類名】明細書
【補正対象項目名】００１６
【補正方法】変更
【補正の内容】
【００１６】
請求項４に記載の発明は、請求項１〜３のいずれか１項に記載のパレット拡張装置において、前記第１の部品、前記第２の部品、前記第３の部品及び前記第４の部品が、それぞれプラスチックダンボールをプレス加工して形成されていることを特徴とする。
【手続補正１０】
【補正対象書類名】特許請求の範囲
【補正対象項目名】全文
【補正方法】変更
【補正の内容】
【特許請求の範囲】
【請求項１】
パレットの外側に配置されるパレット拡張装置であって、
前記パレットの第１の側面に配置される第１の部品と、
前記第１の部品に連結され、前記パレットの第１の側面に垂直な第２の側面に隣接配置される第２の部品と、
前記第１の部品に連結され、前記パレットの第２の側面と平行な第３の側面に隣接配置される第３の部品と、
前記第１の部品及び前記第３の部品に連結され、前記パレットの第１の側面と平行な第４の側面に隣接配置される第４の部品とを
備え、
少なくとも前記第１の部品、前記第２の部品及び前記第３の部品が、それぞれ前記パレットに載るタイヤ展示台の底面部に形成された連結用凹部に挿入される連結用凸部を有し、
前記第２の部品の上面から前記第３の部品の上面に架け渡され、前記パレットの少なくともほぼ半分を覆うカバーを更に備え、
前記カバーが、前記連結用凸部を上方へ逃がす凸部逃がし孔を有し、
前記カバーが、少なくとも前記第２の部品と前記第３の部品とに固定され、
前記第１の部品、前記第２の部品、前記第３の部品及び前記第４の部品のうちの少なくとも１つの部品が、前記パレットのフォーク導入口にフォークを導入するフォーク導入孔を有する
ことを特徴とするパレット拡張装置。
【請求項２】
前記カバーを前記第２の部品と前記第３の部品とに固定する手段が雄ねじである
ことを特徴とする請求項１に記載のパレット拡張装置。
【請求項３】
少なくとも前記第１の部品、前記第２の部品及び前記第３の部品が、それぞれ前記第１の部品、前記第２の部品及び前記第３の部品の下方に配置される別の第１の部品、前記第２の部品及び前記第３の部品の連結用凸部を受容する拡張装置連結用凹部を有する
ことを特徴とする請求項１又は２に記載のパレット拡張装置。
【請求項４】
前記第１の部品、前記第２の部品、前記第３の部品及び前記第４の部品が、それぞれプラスチックダンボールをプレス加工して形成されている
ことを特徴とする請求項１〜３のいずれか１項に記載のパレット拡張装置。